(57)【要約】【課題】過冷却器の性能を向上させ、ヒートポンプサイクルの効率を改善する。【解決手段】ヒートポンプ式冷凍装置１は、圧縮機１３、室外熱交換器１７、過冷却器４０および室内熱交換器２２Ａ、２２Ｂ、２２Ｃを順次接続したヒートポンプ式空気調和機２と、過冷却器４０に放熱部５３を接続した吸収式冷凍機５０とを備え、吸収式冷凍機５０の吸熱部５１に太陽熱利用または工場廃熱利用の熱源６０を接続した構成とする。【選択図】図１
2009236441.tif 000002
【特許請求の範囲】
【請求項１】
圧縮機、室外熱交換器、過冷却器および室内熱交換器を順次接続したヒートポンプ式空気調和機と、
前記過冷却器に放熱部を接続した吸収式冷凍機とを備え、
前記吸収式冷凍機の吸熱部に太陽熱利用または工場廃熱利用の熱源を接続したことを特徴とするヒートポンプ式冷凍装置。
【請求項２】
前記ヒートポンプ式空気調和機が冷媒加熱器を備え、この冷媒加熱器に前記熱源を接続したことを特徴とする請求項１に記載のヒートポンプ式冷凍装置。
【請求項３】
前記圧縮機がガスエンジンにより駆動されることを特徴とする請求項１又は２に記載のヒートポンプ式冷凍装置。
【発明の詳細な説明】
【技術分野】
【０００１】
本発明は、過冷却器を備えたヒートポンプ式冷凍装置に関する。
【背景技術】
【０００２】
従来、圧縮機、四方弁、室外熱交換器および室内熱交換器を順次冷媒配管により接続したヒートポンプ式冷凍装置であって。ヒートポンプサイクルの成績係数ＣＯＰ（Coefficient of Performance）を向上させるために、冷媒を過冷却する過冷却器を備えたものが提案されている。この種のものでは、氷の潜熱を利用して室外熱交換器の出口冷媒を冷却する過冷却器を備えた氷蓄熱システムがある（例えば、特許文献１参照）。この構成によれば、氷の潜熱を利用して過冷却を付けることにより、冷却能力を増大させることができる。この場合、氷を製造するための電力消費量を含めても、昼間の暑い時間帯に氷による過冷却運転をする方が、システム全体のランニングコストを抑えることができる。
【特許文献１】特開２００７−０６４５０５号公報
【発明の開示】
【発明が解決しようとする課題】
【０００３】
しかしながら、さらなる省エネルギー化が要望されており、ヒートポンプサイクルの効率を改善するためには、過冷却器の高性能化を図らなければならない。
そこで、本発明の目的は、過冷却器の性能を向上させ、ヒートポンプサイクルの効率を改善したヒートポンプ式冷凍装置を提供することにある。
【課題を解決するための手段】
【０００４】
上記課題を解決するため、本発明のヒートポンプ式冷凍装置は、圧縮機、室外熱交換器、過冷却器および室内熱交換器を順次接続したヒートポンプ式空気調和機と、前記過冷却器に放熱部を接続した吸収式冷凍機とを備え、前記吸収式冷凍機の吸熱部に太陽熱利用または工場廃熱利用の熱源を接続したことを特徴とする。
上記構成によれば、冷房運転時に、太陽熱利用または工場廃熱利用の熱源を用いて吸収式冷凍機を運転して、過冷却器において冷媒を冷却することにより、省エネルギー化を図ることができる。また、高効率な熱交換が可能な吸収式冷凍機を過冷却器での冷却に用いることにより、効率良く過冷却を付けることができ、ヒートポンプサイクルの効率を改善することができる。
【０００５】
上記構成において、前記ヒートポンプ式空気調和機が冷媒加熱器を備え、この冷媒加熱器に前記熱源を接続したことが好ましい。
上記構成によれば、太陽熱利用または工場廃熱利用の熱源を利用した冷媒加熱器を備えるので、暖房運転時に、暖房能力を増大することができ、ヒートポンプサイクルの効率を改善することができる。
【０００６】
上記構成において、前記圧縮機がガスエンジンにより駆動されることが好ましい。
上記構成によれば、冷凍能力を増大させることができるので、圧縮機を駆動するガスエンジンの動力を減らすことができる。
【発明の効果】
【０００７】
本発明によれば、冷房運転時に、太陽熱利用または工場廃熱利用の熱源を用いて吸収式冷凍機を運転して、過冷却器において冷媒を冷却することにより、省エネルギー化を図ることができる。また、高効率な熱交換が可能な吸収式冷凍機を過冷却器での冷却に用いることにより、効率良く過冷却を付けることができ、ヒートポンプサイクルの効率を改善することができる。
【発明を実施するための最良の形態】
【０００８】
次に図面を参照して本発明の好適な実施の形態について説明する。
図１は、本実施の形態におけるヒートポンプ式冷凍装置の一例たる空気調和装置の冷媒回路を示す図である。
空気調和装置１は、ガスヒートポンプ式空気調和装置であり、室外機１０と、複数（本実施の形態では、３つ）の室内機２０Ａ、２０Ｂ、２０Ｃとを有するヒートポンプ式空気調和機２と、吸収式冷凍機５０と、太陽熱温水器（熱源）６０とを備えている。室外機１０に接続される室外冷媒配管１１と、室内機２０Ａ、２０Ｂ、２０Ｃに接続される室内冷媒配管２１Ａ、２１Ｂ、２１Ｃとは、連結されて、ヒートポンプサイクル１００の一部を構成している。
【０００９】
室内機２０Ａ、２０Ｂ、２０Ｃは、室内に設置され、室内冷媒配管２１Ａ、２１Ｂ、２１Ｃに室内熱交換器２２Ａ、２２Ｂ、２２Ｃがそれぞれ接続されている。これら室内熱交換器２２Ａ、２２Ｂ、２２Ｃの近傍には、減圧装置としての室内膨張弁２３Ａ、２３Ｂ、２３Ｃがそれぞれ接続されている。さらに、室内熱交換器２２Ａ、２２Ｂ、２２Ｃには、これらの室内熱交換器２２Ａ、２２Ｂ、２２Ｃへ送風する室内ファン２４Ａ、２４Ｂ、２４Ｃが隣接して配置されている。
【００１０】
室外機１０は、室外に配置され、室外冷媒配管１１に冷媒加熱器１２とコンプレッサ（圧縮機）１３とが順次接続されるとともに、このコンプレッサ１３の吸込側にアキュムレータ１４が、吐出側にオイルセパレータ１５を介して四方弁１６がそれぞれ接続されている。
【００１１】
コンプレッサ１３から吐出された冷媒が流れ込む四方弁１６には、室外熱交換器１７が接続され、この室外熱交換器１７には、室外熱交換器１７に外気を流通させる室外ファン１８が隣接して配置されている。室外熱交換器１７には、減圧装置としての室外膨張弁１９が接続されるとともに、この室外膨張弁１９に並列して、過冷却器４０が接続されている。この過冷却器４０は、吸収式冷凍機５０から供給される冷水と、室外熱交換器１７で凝縮された液冷媒とが熱交換可能に設けられている。過冷却器４０の配管４０Ａには、逆止弁４１が、室外膨張弁１９の配管１９Ａには、逆止弁４２が接続されている。これら２つの逆止弁４１、４２により、冷房運転時には、冷媒が実線矢印に示すように過冷却器４０の配管４０Ａを流れ、暖房運転時には、冷媒が過冷却器４０の配管４０Ａを流れることなく、点線矢印に示すように室外膨張弁１９の配管１９Ａを流れることになる。
【００１２】
冷媒高圧側（コンプレッサ１３の吐出側）と冷媒低圧側（図示の例ではアキュムレータ１４の手前）との間には、バイパス管１０１およびバイパス弁１０２が接続されている。また、室外冷媒配管１１には、閉鎖弁１０３、１０４が設けられている。
さらに、空気調和装置１全体を制御するコントローラ８０が設けられている。このコントローラ８０は、図示しない計時手段と、空気調和装置１の異常時に警報を発生させる警報装置とを備えている。さらに、室内機２０Ａ、２０Ｂ、２０Ｃには、ＯＮ／ＯＦＦに切り替わるリモコン８１Ａ、８１Ｂ、８１Ｃが設けられている。
【００１３】
コンプレッサ１３は、図示しない動力伝達ベルトを介してガスエンジン３０に連結され、ガスエンジン３０により駆動される。このガスエンジン３０は、エンジン冷却系３１を流れる冷却水により冷却される。このエンジン冷却系３１は、第１冷却系配管３５にガスエンジン３０、室外熱交換器１７と隣り合って設けられたラジエータ３７、リザーブタンク３９および冷却水ポンプ３４が接続されている。ガスエンジン３０とラジエータ３７との間には、冷却水バイパス弁３８が設けられており、この冷却水バイパス弁３８は、冷却水ポンプ３４の流入側に接続されている。
【００１４】
吸収式冷凍機５０は、再生器（吸熱部）５１、凝縮器５２、蒸発器（放熱部）５３および吸収器５４の４つの熱交換器を備え、例えば、冷媒に水、吸収液に臭化リチウム（ＬｉＢｒ）溶液を用いた単効用の吸収式冷凍機である。この吸収式冷凍機５０には、吸収式冷凍機５０の異常時に警報を発生させる警報装置（不図示）が設けられている。吸収式冷凍機５０は、過冷却水管５５を介してヒートポンプ式空気調和機２の過冷却器４０に接続され、過冷却器４０を流れる冷媒を過冷却できる。過冷却水管５５には、給水ポンプＰ３が設けられている。
吸収式冷凍機５０の凝縮器５２には、冷却水管５６を介して冷却塔５７が接続され、この冷却塔５７は、凝縮器５２に冷却水を供給して、凝縮器５２を流れる冷媒を冷却できる。冷却水管５６には、冷却水ポンプＰ５が設けられている。冷却塔５７には、給水管５８および排水管５９が接続されている。
【００１５】
太陽熱温水器６０は、給湯管６１を介して吸収式冷凍機５０の再生器５１に接続され、太陽熱温水器６０の熱を再生器５１に与えることができる。給湯管６１には、開閉弁６１Ａ、６１Ｂ、給湯ポンプＰ２、および温度センサ６２が設けられている。この太陽熱温水器６０は、水を蓄える貯湯槽６３を備え、この貯湯槽６３には、給水管６４および排水管６５が接続されている。給水管６４には、給水バルブＳＶが設けられ、この給水バルブＳＶは、コントローラ８０により、給水バルブＳＶを開けた時点からの経過時間ｔを計時されるよう構成されている。
また、貯湯槽６３には、液面スイッチ６６および温度センサ６７が設けられている。この液面スイッチ６６は、ＯＮ／ＯＦＦに切り替わるスイッチであり、貯湯槽６３の水位が所定の水位以上になるとＯＮになる。
【００１６】
貯湯槽６３には、放熱管６８を介して放熱器６９が接続され、この放熱器６９は、貯湯槽６３からの温水を冷却する。放熱管６８には、放熱ポンプＰ４が設けられている。また、貯湯槽６３には、太陽熱集熱器７０が集熱管７１を介して接続されている。集熱管７１には、集熱ポンプＰ１が設けられている。太陽熱集熱器７０には、日射センサ７２が設けられている。日射センサ７２は、ＯＮ／ＯＦＦに切り替わるスイッチであり、太陽光を検出するとＯＮになる。
さらに、太陽熱温水器６０は、給湯管７４を介してヒートポンプ式空気調和機２の冷媒加熱器１２に接続され、冷媒加熱器１２を流れる冷媒を加熱できる。
【００１７】
次に、空気調和装置１の動作について説明する。
本実施の形態の空気調和装置１は、冷房運転または暖房運転の動作モードとして、吸収式冷凍機５０および太陽熱温水器６０を用いることなく、ヒートポンプ式空気調和機２のみにより、冷房運転または暖房運転をする通常モードと、ヒートポンプ式空気調和機２に吸収式冷凍機５０および太陽熱温水器６０、あるいは太陽熱温水器６０のみを用いて冷房運転、あるいは暖房運転をするハイブリットモードとを備えている。
【００１８】
空気調和装置１の電源が投入されると、太陽が出ている場合には、集熱ポンプＰ１が駆動され、貯湯槽６３に蓄えられた水が太陽熱集熱器７０へ流通して、太陽熱により加熱されて温水になる。太陽熱集熱器７０で加熱された温水は、貯湯槽６３に戻る。このように、温水が集熱管７１を循環することにより、貯湯槽６３に蓄えられた温水の温度（以下、貯湯槽温度という。）Ｔ１が上昇する。なお、太陽が出ているか否かは、日射センサ７２によって検出される。貯湯槽温度Ｔ１は、温度センサ６７によって検出され、この貯湯槽温度Ｔ１に比例して、集熱ポンプＰ１の速調の周波数が制御される。
【００１９】
ユーザの操作により、リモコン８１Ａ、８１Ｂ、８１Ｃのうち少なくとも１つがＯＮになると、ヒートポンプ式空気調和機２の運転が開始される。なお、太陽が出ていない場合には、ヒートポンプ式空気調和機２のみにより、通常モードで冷房運転または暖房運転が開始される。ここでは、動作モードがハイブリットモードであるとして、以下説明する。
給湯ポンプＰ２が駆動されると、空気調和装置１が暖房運転状態にある場合は、開閉弁６１Ａが閉鎖して開閉弁６１Ｂが開放し、３０〜９５℃の温水が貯湯槽６３から冷媒加熱器１２に供給される。空気調和装置１が冷房運転状態にある場合は、開閉弁６１Ａが開放して開閉弁６１Ｂが閉鎖し、７０〜９５℃の温水が貯湯槽６３から吸収式冷凍機５０の再生器５１に供給される。この開閉弁６１Ａ、６１Ｂの開閉の切り替わりによって、給湯ポンプＰ２の速調の周波数が切り替わる。なお、供給される温水の温度（以下、温水温度という。）Ｔ２は、温度センサ６２によって検出される。
【００２０】
空気調和装置１が冷房運転状態にある場合は、冷却水ポンプＰ５が駆動され、冷却塔５７で冷却された冷却水が冷却塔５７から吸収式冷凍機５０の凝縮器５２に供給される。そして、コントローラ８０が吸収式冷凍機５０の運転信号をＯＮにすると、吸収式冷凍機５０の運転が開始される。
運転を開始した吸収式冷凍機５０は、貯湯槽６３から供給された温水により、吸収式冷凍機５０の冷媒を再生器５１で加熱して、濃縮吸収液と冷媒蒸気とに分離する。この冷媒蒸気は、冷却塔５７から供給された冷却水により、凝縮器５２で冷却されて液冷媒となる。この液冷媒は、蒸発器５３で気化して冷媒蒸気となる。このとき、冷媒は気化熱により、蒸発器５３を流通する水の熱を奪い取り、水が冷却されて冷水となる。冷媒蒸気は、吸収器５４で吸収液に吸収され、濃度の低下した吸収液が再生器５１に戻る。吸収式冷凍機５０により冷却された冷水は、給水ポンプＰ３により、過冷却器４０に供給される。給水ポンプＰ３は、室内機２０Ａ、２０Ｂ、２０Ｃの運転台数に応じて、速調の周波数が制御されるよう構成されている。
【００２１】
なお、給湯ポンプＰ２は、単独で駆動可能だが、給水ポンプＰ３および冷却水ポンプＰ５は、給湯ポンプＰ２が駆動中であって、給水ポンプＰ３および冷却水ポンプＰ５が同時に駆動される場合でなければ作動しないようインターロックが掛かるようになっている。
また、吸収式冷凍機５０においては、コントローラ８０が吸収式冷凍機５０の運転信号をＯＦＦにすることにより、吸収式冷凍機５０の停止制御が開始され、給湯ポンプＰ２と、給水ポンプＰ３とが停止される。
【００２２】
次に、空気調和装置１の冷房運転、および暖房運転時の概要動作を説明する。
空気調和装置１は、四方弁１６が手動のスイッチ（不図示）で切り換えられることにより、冷房運転または暖房運転に設定される。つまり、四方弁１６が冷房側に切り換えられたときには、冷媒が実線矢印αに示すように流れ、室外熱交換器１７が凝縮器に、室内熱交換器２２Ａ、２２Ｂ、２２Ｃが蒸発器になって冷房運転状態となる。これにより、各室内熱交換器２２Ａ、２２Ｂ、２２Ｃが室内を冷房する。
【００２３】
具体的には、コンプレッサ１３で圧縮されたガス冷媒が室外熱交換器１７に流入する。室外熱交換器１７に流入したガス冷媒は、室外熱交換器１７で外気と熱交換して冷却されることによって液冷媒となる。室外熱交換器１７から流出した液冷媒は、逆支弁４２があるため、室外膨張弁１９の開度に寄らず全量が過冷却器４０を流通して、室内機２０Ａ、２０Ｂ、２０Ｃに流入する。このとき、過冷却器４０には、吸収式冷凍機５０が生成した冷水が導かれている。これにより、過冷却器４０を流通する液冷媒は、供給された冷水と熱交換して過冷却状態になる。
【００２４】
冷房運転時には、室内膨張弁２３Ａ、２３Ｂ、２３Ｃのそれぞれの弁開度が空調負荷に応じて調整され、室外膨張弁１９が全開に操作される。これにより、過冷却器４０で冷却されて室内機２０Ａ、２０Ｂ、２０Ｃに流入した液冷媒は、室内膨張弁２３Ａ、２３Ｂ、２３Ｃで膨張する。室内膨張弁２３Ａ、２３Ｂ、２３Ｃで膨張した液冷媒は、室内熱交換器２２Ａ、２２Ｂ、２２Ｃで室内空気と熱交換して室内を冷房するとともに、蒸発してガス冷媒となる。室内熱交換器２２Ａ、２２Ｂ、２２Ｃから流出したガス冷媒は、四方弁１６を流通し、アキュムレータ１４で気液分離されてコンプレッサ１３に吸い込まれる。
【００２５】
一方、四方弁１６が暖房側に切り換えられたときには、冷媒が破線矢印βに示すように流れ、室内熱交換器２２Ａ、２２Ｂ、２２Ｃが凝縮器に、室外熱交換器１７が蒸発器になって暖房運転状態となる。これにより、各室内熱交換器２２Ａ、２２Ｂ、２２Ｃが室内を暖房する。
具体的には、コンプレッサ１３で圧縮されたガス冷媒が室内熱交換器２２Ａ、２２Ｂ、２２Ｃに流入する。室内熱交換器２２Ａ、２２Ｂ、２２Ｃに流入したガス冷媒は、室内熱交換器２２Ａ、２２Ｂ、２２Ｃで室内空気と熱交換して室内を暖房するとともに、凝縮して液冷媒となる。
【００２６】
室内熱交換器２２Ａ、２２Ｂ、２２Ｃから流出した液冷媒は、室内膨張弁２３Ａ、２３Ｂ、２３Ｃおよび室外膨張弁１９を流通して膨張し、蒸気と液の混在した冷媒となり、室外熱交換器１７に流入する。なお、暖房運転時には、室外膨張弁１９および室内膨張弁２３Ａ、２３Ｂ、２３Ｃのそれぞれの弁開度が空調負荷に応じて調整されている。
【００２７】
室外熱交換器１７に流入した冷媒は、室外熱交換器１７で外気と熱交換して蒸発することによってガス冷媒となるが、液冷媒も一部混じった状態で、四方弁１６および冷媒加熱器１２を流通する。このとき、冷媒加熱器１２には、太陽熱温水器６０から供給された温水が導かれている。これにより、冷媒加熱器１２を流通した冷媒は、供給された温水と熱交換して加熱される。冷媒加熱器１２で加熱されることにより完全に蒸発した冷媒は、アキュムレータ１４で気液分解されてコンプレッサ１３に吸い込まれる。
【００２８】
図２は、空気調和装置１の電源投入から停止までの運転制御を示す処理フローチャートである。
コントローラ８０は、空気調和装置１の電源が投入されると、空気調和装置１の運転が冷房運転か否か判断する（ステップＳ１）。空気調和装置１の運転が冷房運転の場合（ステップＳ１：Ｙ）、コントローラ８０は、液面スイッチ６６がＯＮか否か判別する（ステップＳ２）。液面スイッチ６６がＯＮの場合（ステップＳ２：Ｙ）、コントローラ８０は、日射センサ７２がＯＮか否か判別する（ステップＳ３）。日射センサ７２がＯＮの場合（ステップＳ３：Ｙ）、コントローラ８０は、集熱ポンプＰ１を駆動し（ステップＳ４）、集熱ポンプＰ１を制御する（ステップＳ５）。
【００２９】
次いで、温度センサ６７で検出した貯湯槽温度Ｔ１が６０℃より高いか否か判別する（ステップＳ６）。温度センサ６７で検出した貯湯槽温度Ｔ１が６０℃より高い場合（ステップＳ６：Ｙ）、コントローラ８０は、リモコン８１Ａ、８１Ｂ、８１Ｃのうち少なくとも１つがＯＮか否か判別する（ステップＳ７）。リモコン８１Ａ、８１Ｂ、８１Ｃのうち少なくとも１つがＯＮの場合（ステップＳ７：Ｙ）、コントローラ８０は、給湯ポンプＰ２を駆動する（ステップＳ８）。
【００３０】
次いで、リモコン８１Ａ、８１Ｂ、８１Ｃのうち少なくとも１つがＯＮであって、温度センサ６２で検出した温水温度Ｔ２が７０℃より高いか否か判別する（ステップＳ９）。リモコン８１Ａ、８１Ｂ、８１Ｃのうち少なくとも１つがＯＮであって、温度センサ６２で検出した温水温度Ｔ２が７０℃より高い場合（ステップＳ９：Ｙ）、コントローラ８０は、冷却塔５７の運転を開始するとともに、給水ポンプＰ３および冷却水ポンプＰ５を駆動する（ステップＳ１０）。次いで、吸収式冷凍機５０の運転信号をＯＮにし（ステップＳ１１）、給湯ポンプＰ２を制御し（ステップＳ１２）、給水ポンプＰ３を制御する（ステップＳ１３）。
【００３１】
次いで、吸収式冷凍機５０の警報が発生しているか否か判別する（ステップＳ１４）。吸収式冷凍機５０の警報が発生している場合（ステップＳ１４：Ｙ）、コントローラ８０は、吸収式冷凍機５０の運転信号をＯＦＦにし（ステップＳ１５）、給湯ポンプＰ２、給水ポンプＰ３、冷却水ポンプＰ５、および冷却塔５７を停止し（ステップＳ１６）、はじめに戻る。
【００３２】
吸収式冷凍機５０の警報が発生していない場合（ステップＳ１４：Ｎ）、コントローラ８０は、リモコン８１Ａ、８１Ｂ、８１ＣのすべてがＯＦＦか否か判別する（ステップＳ１７）。リモコン８１Ａ、８１Ｂ、８１ＣのすべてがＯＦＦでない場合（ステップＳ１７：Ｎ）、コントローラ８０は、処理をステップＳ８へ移行する。リモコン８１Ａ、８１Ｂ、８１ＣのすべてがＯＦＦの場合（ステップＳ１７：Ｙ）、コントローラ８０は、吸収式冷凍機５０の運転信号をＯＦＦにし（ステップＳ１８）、吸収式冷凍機５０を停止制御し、給湯ポンプＰ２を停止し、冷却水ポンプＰ５を停止し、冷却塔５７の運転を停止し（ステップＳ１９）、はじめに戻る。
【００３３】
ステップＳ１の判別において、空気調和装置１の運転が暖房運転の場合（ステップＳ１：Ｎ）、コントローラ８０は、液面スイッチ６６がＯＮか否か判別する（ステップＳ２１）。液面スイッチ６６がＯＮの場合（ステップＳ２１：Ｙ）、コントローラ８０は、日射センサ７２がＯＮか否か判別する（ステップＳ２２）。日射センサ７２がＯＦＦの場合（ステップＳ２２：Ｎ）、コントローラ８０は、温度センサ６７で検出した貯湯槽温度Ｔ１が３０℃より高いか否か判別する（ステップＳ２３）。温度センサ６７で検出した貯湯槽温度Ｔ１が３０℃より高い場合（ステップＳ２３：Ｙ）、コントローラ８０は、処理をステップＳ２７へ移行する。温度センサ６７で検出した貯湯槽温度Ｔ１が３０℃より低い場合（ステップＳ２３：Ｎ）、コントローラ８０は、処理をステップＳ２２へ移行する。
【００３４】
日射センサ７２がＯＮの場合（ステップＳ２２：Ｙ）、コントローラ８０は、集熱ポンプＰ１を駆動し（ステップＳ２４）、集熱ポンプＰ１を制御する（ステップＳ２５）。
次いで、温度センサ６７で検出した貯湯槽温度Ｔ１が３０℃より高いか否か判別する（ステップＳ２６）。温度センサ６７で検出した貯湯槽温度Ｔ１が３０℃より高い場合（ステップＳ２５：Ｙ）、コントローラ８０は、リモコン８１Ａ、８１Ｂ、８１Ｃのうち少なくとも１つがＯＮか否か判別する（ステップＳ２７）。
【００３５】
リモコン８１Ａ、８１Ｂ、８１Ｃのうち少なくとも１つがＯＮの場合（ステップＳ２７：Ｙ）、コントローラ８０は、給湯ポンプＰ２を駆動し（ステップＳ２８）、給湯ポンプＰ２を制御する（ステップＳ２９）。
次いで、空気調和装置１の警報が発生しているか否か判別する（ステップＳ３０）。空気調和装置１の警報が発生していない場合（ステップＳ３０：Ｎ）、コントローラ８０は、処理をステップＳ２７へ移行する。空気調和装置１の警報が発生している場合（ステップＳ３０：Ｙ）、コントローラ８０は、給湯ポンプＰ２を停止し（ステップＳ３１）、はじめに戻る。
【００３６】
図３は、液面制御の処理フローチャートである。
コントローラ８０は、液面スイッチ６６がＯＦＦの場合（図２のステップＳ２：Ｎ、または、ステップＳ２１：Ｎ）、給水バルブＳＶを開放する（ステップＳ４１）。次いで、液面スイッチ６６がＯＮか否か判別する（ステップＳ４２）。液面スイッチ６６がＯＮの場合（ステップＳ４２：Ｙ）、コントローラ８０は、給水バルブＳＶを閉鎖し（ステップＳ４３）、処理を終了する。
【００３７】
液面スイッチ６６がＯＦＦの場合（ステップＳ４２：Ｎ）、コントローラ８０は、給水バルブＳＶを開けてからの経過時間ｔが３０分を経過したか否か判別する（ステップＳ４４）。給水バルブＳＶを開けてからの経過時間ｔが３０分を経過していない場合（ステップＳ４４：Ｎ）、コントローラ８０は、処理をステップＳ４２へ移行する。給水バルブＳＶを開けてからの経過時間ｔが３０分を経過した場合（ステップＳ４４：Ｙ）、コントローラ８０は、警報を発生させ（ステップＳ４５）、処理をステップＳ４３へ移行する。
【００３８】
図４は、放熱制御の処理フローチャートである。
コントローラ８０は、冷房運転時に温度センサ６７で検出した貯湯槽温度Ｔ１が６０℃より高くなった場合（図２のステップＳ６：Ｙ）、あるいは、暖房運転時に温度センサ６７で検出した貯湯槽温度Ｔ１が３０℃より高くなった場合（図２のステップＳ２３：Ｙ、または、ステップＳ２６：Ｙ）、温度センサ６７で検出した貯湯槽温度Ｔ１が９５℃より高いか否か判別する（ステップＳ５１）。温度センサ６７で検出した貯湯槽温度Ｔ１が９５℃より高い場合（ステップＳ５１：Ｙ）、コントローラ８０は、放熱器６９の運転を開始するとともに、放熱ポンプＰ４を駆動する（ステップＳ５２）。
【００３９】
次いで、温度センサ６７で検出した貯湯槽温度Ｔ１が８５℃より低いか否か判別する（ステップＳ５３）。温度センサ６７で検出した貯湯槽温度Ｔ１が８５℃より低い場合（ステップＳ５３：Ｙ）、コントローラ８０は、放熱器６９の運転を停止するとともに、放熱ポンプＰ４を停止し（ステップＳ５４）、処理を終了する。
【００４０】
上記実施の形態では、過冷却器４０において冷媒を冷却する吸収式冷凍機５０の熱源に、太陽熱を利用した太陽熱温水器６０を用いたことにより、過冷却器４０において冷媒を冷却するためのランニングコストを抑えることができ、省エネルギー化を図ることができる。
また、本実施の形態の空気調和装置１では、過冷却をつけるために吸収式冷凍機５０が供給する冷水の温度は、２０〜３０℃で十分である。したがって、本実施の形態の吸収式冷凍機５０においては、冷水が通常の７℃ではなく、２０〜３０℃に冷却される。これにより、吸収式冷凍機５０のＣＯＰは、通常の０．５から０．７〜０．８に上昇し、高効率な熱交換が可能となる。
このように、冷房運転時に、太陽熱温水器６０を利用して吸収式冷凍機５０を運転し、吸収式冷凍機５０が供給する２０〜３０℃の冷水を用いて過冷却を付けることにより、ヒートポンプサイクル１００の効率を向上することができる。夏場の冷房運転データからは、２０％程度のエネルギー削減が確認されている。
【００４１】
暖房運転時にも、太陽熱を利用した太陽熱温水器６０を用いたことにより、冷媒加熱器１２において冷媒を加熱するためのランニングコストを抑えることができ、省エネルギー化を図ることができる。
また、本実施の形態の空気調和装置１では、冷媒を加熱するために利用される温水の温度（貯湯槽温度）Ｔ１は、３０℃より高ければヒートポンプサイクル１００の高効率化の効果がある。したがって、本実施の形態の空気調和装置１においては、太陽が出ていない場合であっても、貯湯槽温度Ｔ１が３０℃より高い場合には、ハイブリットモードで暖房運転することができるよう構成されている。これにより、太陽が出ていない場合であっても、貯湯槽温度Ｔ１が３０℃より高い場合は、室外熱交換器１７で蒸発した冷媒を冷媒加熱器１２で効果的に加熱することができ、ヒートポンプサイクル１００の効率を向上することができる。
【００４２】
以上説明したように、本実施の形態によれば、冷房運転時に、太陽熱利用の太陽熱温水器６０を用いて吸収式冷凍機５０を運転して、過冷却器４０において冷媒を冷却することにより、省エネルギー化を図ることができる。また、高効率な熱交換が可能な吸収式冷凍機５０を過冷却器４０での冷却に用いることにより、効率良く過冷却を付けることができ、ヒートポンプサイクル１００の効率を改善することができる。
【００４３】
また、上記実施の形態によれば、太陽熱温水器６０を利用した冷媒加熱器１２を備えるので、暖房運転時に、暖房能力を増大することができ、ヒートポンプサイクル１００の効率を改善することができる。
また、上記実施の形態によれば、冷凍能力を増大させることができるので、圧縮機１３を駆動するガスエンジン３０の動力を減らすことができる。
【００４４】
但し、上記実施の形態は本発明の一態様であり、本発明の趣旨を逸脱しない範囲において適宜変更可能であるのは勿論である。
例えば、上記実施の形態では、吸収式冷凍機５０の熱源として太陽熱温水器６０を利用する構成としたが、工場等の廃熱を熱源として吸収式冷凍機５０を運転するようにしてもよい。この場合、工場等の廃熱を吸収式冷凍機５０の再生器５１へ供給する構成とすればよい。
【００４５】
また、上記実施の形態では、コンプレッサ１３をガスエンジン３０で駆動させているが、これに限定されず、モータ等でコンプレッサ１３を駆動させてもよい。
【図面の簡単な説明】
【００４６】
【図１】本発明に係わる空気調和装置の冷媒回路を示す図である。
【図２】本発明に係わる空気調和装置の運転制御の処理フローチャートである。
【図３】本発明に係わる液面制御の処理フローチャートである。
【図４】本発明に係わる放熱制御の処理フローチャートである。
【符号の説明】
【００４７】
１  空気調和装置
２  ヒートポンプ式空気調和機
１２  冷媒加熱器
１３  コンプレッサ（圧縮機）
１７  室外熱交換器
２２Ａ、２２Ｂ、２２Ｃ  室内熱交換器
３０  ガスエンジン
４０  過冷却器
５０  吸収式冷凍機
５１  再生器（吸熱部）
５３  凝縮器（放熱部）
６０  太陽熱温水器（熱源）
【図１】
2009236441.tif 000003
【図２】
2009236441.tif 000004
【図３】
2009236441.tif 000005
【図４】
2009236441.tif 000006